(57)【要約】【課題】テレビ番組の格付けを試験するメモリー装置並びに試験方法の提供。【解決手段】本発明はテレビ番組の格付けに関わる試験するメモリー装置並びに試験方法である。それはあるテレビ番組の格付けが試験できるメモリー装置を提供し、読み取り装置と格付けチップを配置する装置を組み合わせるものである。その中、メモリー装置は複数試験組合画面を記憶しておき、試験組合画面ごとに試験制御シグナルを一つ含む。読み取り装置はメモリー装置にある試験組合画面を読み出してディスプレー装置に送るとき、試験組合画面が格付けチップの遮る格付け組合画面に属していないならば、ディスプレー装置はそれを表す。それに対して、試験組合画面が格付けチップの遮る格付け組合画面に属しているならば、ディスプレー装置はある画面が遮られたというメッセージを表示する。【選択図】        図１
2006345476.tif 000002
【特許請求の範囲】
【請求項１】
一つの読み取り装置と一つのディスプレー装置を組み合わせ、当読み取り装置は当ディスプレー装置と電気回路を結びつけ、また当ディスプレー装置に格付けチップを配置し、少なくとも一種類の格付け組合画面を遮ると設定される、メモリー装置に複数試験組合画面を記憶しておき、少なくとも一種類以上の格付け組合に対応する、
その中、読み取り装置は当メモリー装置からある試験組合画面を読み出して、ディスプレー装置に送る、もしも、試験組合画面は格付けチップが遮られる格付け組合画面に属していないならば、ディスプレー装置に試験組合画面を出力することを特徴とするテレビ番組の格付けを試験するメモリー装置。
【請求項２】
その中、試験組合画面ごとにおまけに試験制御シグナルを一つ含むことによって、ディスプレー装置に試験組合画面を出力する前に、格付けチップが試験制御シグナルと遮ると設定された格付け組合画面を照合する、もしも試験組合画面は格付けチップが遮ると設定された格付け組合画面に属するならば、ディスプレー装置は遮るメッセージを出力することを特徴とする請求項１記載のテレビ番組の格付けを試験するメモリー装置。
【請求項３】
その中、試験組合画面は格付けチップが遮ると設定された格付け組合画面であれば、且つディスプレー装置にも当該試験組合画面を出ていると、格付けチップは正常に動作していないことを特徴とする請求項１記載のテレビ番組の格付けを試験するメモリー装置。
【請求項４】
その中、読み取り装置は順番通りに当メモリー装置の中からある試験組合画面を読み取り、且つ該試験組合画面をディスプレー装置に送ることによって、格付けチップは正常に動作しているか否かを試験することを特徴とする請求項１記載のテレビ番組の格付けを試験するメモリー装置。
【請求項５】
その中、読み取り装置が順番通りではなくて当メモリー装置の中からある試験組合画面を読み取り、且つ読み出された試験組合画面をディスプレー装置に送ることによって、格付けチップは正常に動作するか否かを試験することを特徴とする請求項１記載のテレビ番組の格付けを試験するメモリー装置。
【請求項６】
その中、メモリー装置は２２種類の試験組合画面が記憶されておき、且つ試験組合画面ごとに違う格付け組合に対応することを特徴とする請求項１記載のテレビ番組の格付けを試験するメモリー装置。
【請求項７】
その中、該メモリ装置は光メモリー装置であることを特徴とする請求項１記載のテレビ番組の格付けを試験するメモリー装置。
【請求項８】
その中、該読み取り装置は光メモリー読み取り装置であることを特徴とする請求項１記載のテレビ番組の格付けを試験するメモリー装置。
【請求項９】
複数試験組合画面を記憶している一つのメモリー装置と一つの読み取り装置を組み合わせ、その中、格付けチップはディスプレーに配置し、且つ該格つけチップは少なくとも一種類の格付け組合画面を遮ると設定される、読み取り装置はディスプレー装置と電気回路を結びつけ、又試験組合画面も少なくとも一種類以上の格付け組合に対応し、該方法は下記のステップが含まれている、
（Ａ）読み取り装置を通してメモリー装置の中からある試験組合画面を読み出す、
（Ｂ）ディスプレー装置は読み取り装置から読み出された当試験組合画面を受信する、又、
（Ｃ）格付けチップは読み出された試験組合画面が遮ると設定された格付け画面であるか否かを照合する、もし試験組合画面は格付けチップが遮る格付け組合画面に属していないならば、該ディスプレー装置に試験組合画面を出力することを特徴とする格付けチップの試験方法。
【請求項１０】
その中、試験組合画面ごとにおまけに試験制御シグナルを一つ含むことによって、格付けチップは試験制御シグナルが遮ると設定された格付け組合画面を照合する、もしも試験組合画面は格付けチップが遮ると設定された格付け組合画面に属しているならば、該ディスプレー装置は遮るメッセージを出力することを特徴とする請求項９記載の試験方法。
【請求項１１】
ステップ（Ｃ）の中で、もしも、試験組合画面は格付けチップが遮ると設定された格付け組合画面に属しているなら、且つディスプレー装置も試験組合画面を出力するなら、格付けチップは正常に動作していないということであることを特徴とする請求項９記載の試験方法。
【請求項１２】
ステップ（Ａ）の中で、読み取り装置は順番通りにメモリー装置の中からある試験組合画面を読み取り、そして読み出された試験組合画面を当ディスプレー装置に送ることによって、当格付けチップが正常に動作するか否かを試験することを特徴とする請求項９記載の試験方法。
【請求項１３】
ステップ（Ａ）の中で、読み取り装置が順番通りではなくて、メモリー装置の中からある試験組合画面を読み取り、そしてディスプレー装置に送ることによって、当格付けチップが正常に動作できるか否かを試験することを特徴とする請求項９記載の試験方法。
【請求項１４】
その中、メモリー装置は光メモリー装置であることを特徴とする請求項９記載の試験方法。
【請求項１５】
その中、読み取り装置は光メモリー読み取り装置であることを特徴とする請求項９記載の試験方法。
【請求項１６】
その中、メモリー装置には２２種類の試験組合画面を記憶しておき、且つ試験組合画面ごとに異なる格付け組合に対応することを特徴とする請求項９記載の試験方法。
【発明の詳細な説明】
【技術分野】
【０００１】
本発明は格付けチップの試験方法に関わり、とりわけテレビ番組の格付けを試験するメモリー装置並びに試験方法を指すものである。
【背景技術】
【０００２】
１９９６年アメリカ電信改革法の可決で格付けチップ（Ｖチップ或いは暴力チップと称する）をテレビに搭載させることによって、番組を見る選択権を全て親に任せ、親たちも容易に暴力、エロなどの番組を見分けることができる。
【０００３】
アメリカの放送業者は番組の格付け情報をテレビ画面の垂直走査線２１番に搭載することに同意してテレビに搭載するＶチップは２２種類の格付け組合画面を遮る仕組みに設定させされる。そのため、テレビは番組画面を受信するとき、Ｖチップによりテレビ画面の２１番走査線の番組格付け情報が照合できることによって、テレビ画面はＶチップに遮られるか否かを判断する。もしもテレビ画面はＶチップが遮る格付け組合画面種類に属しているならば、テレビは当テレビ画面が放送できない。それに対して、テレビ画面はＶチップが遮る格付け組合画面種類に属していないならば、テレビは正常にテレビ画面が放送できる。
【０００４】
というわけで、アメリカに輸出するテレビはＶチップを搭載しなければならない。しかし、テレビを販売する会社は一般的にＶチップメーカーからＶチップを購入してテレビに取り付けるわけである。そこで、テレビが工場を出る前にいつもＶチップに試験をして正常に動作するかを試験する。
【０００５】
目下、Ｖチップが正常に作動するかを試験する設備は極めて高価のうえに、スペースを占めることから、量産の時に用いる場合、同時に何セットの設備も購入すると、生産コストを増やし、スペースを過大に占めることに至る。そのほか、テレビ会社は時々サービスエンジニアを代理販売店やお客様側のところに行かせ、問題を解決する必要があるかもしれないし、現場でＶチップ機能を試験する必要があるとき、スペース占めで高価の試験設備を持ち歩くのが極大な迷惑になる。
【０００６】
それ以外、市販されている色々な異なる格付け組合種類のビデオがあるが、一気に２２種類の異なる格付け組合ビデオを集めるのが非常に難しく、Ｖチップを試験するとき、２２枚別々に試験するのも非常に不便である。
【０００７】
そのため、如何に安くてスペースの占めないＶチップを試験するツールを通じて上述の問題を克服するかは、実に解決に直面する課題である。
【発明の開示】
【発明が解決しようとする課題】
【０００８】
本発明の目的はテレビ番組格付けを試験するメモリー装置並びに試験方法を提供することによって、経済的で格安の試験設備が提供できることである。
【０００９】
本発明のもう一つの目的はテレビ番組格付けを試験するメモリー装置並びに試験方法を提供することによって、スペースを占めない試験設備にすることである。
【００１０】
本発明の特長の一つはテレビ番組格付けを試験するためのメモリー装置を提供し、一つの読み取り装置と一つのディスプレー装置を組み合わせ、読み取り装置はディスプレー装置と電気回路を結びつけ、且つ読み取り装置に格付けチップを一つ配置し、少なくとも一種の格付け組合画面を遮ると設定される。該メモリー装置に複数試験組合画面を記憶しておき、その中、読み取り装置はメモリー装置からある試験組合画面を読み出して試験組合画面をディスプレー装置に送り、出力する画面は格付けチップの遮る格付け組合画面に属していないならば、ディスプレー装置がそれを表示する。
【００１１】
本発明のもう一つの特長はディスプレー装置の格付けチップを試験する方法を提供し、複数試験組合画面を記憶しているメモリー装置を一つと読み取り装置を一つ組み合わせ、その中、格付けチップはディスプレー装置に搭載し、少なくとも一種の格付け組合画面を遮ると設定される。読み取り装置はディスプレー装置と電気回路を結びつけ、当方法は下記のステップが含まれている。（Ａ）読み取り装置を通してメモリー装置から中のある試験組合画面を読み出す。（Ｂ）ディスプレー装置は読み取り装置から読み出された試験組合画面を受信する。（Ｃ）格付けチップは読み出された試験組合画面がブロックする格付け組合画面に属しているか否かを照合し、もしも出力画面は格付けチップの遮る格付け組合画面に属していないならば、ディスプレー装置がそれを表示する。
【課題を解決するための手段】
【００１２】
請求項１の発明は、一つの読み取り装置と一つのディスプレー装置を組み合わせ、当読み取り装置は当ディスプレー装置と電気回路を結びつけ、また当ディスプレー装置に格付けチップを配置し、少なくとも一種類の格付け組合画面を遮ると設定される、メモリー装置に複数試験組合画面を記憶しておき、少なくとも一種類以上の格付け組合に対応する。
その中、読み取り装置は当メモリー装置からある試験組合画面を読み出して、ディスプレー装置に送る、もしも、試験組合画面は格付けチップが遮られる格付け組合画面に属していないならば、ディスプレー装置に試験組合画面を出力することを特徴とするテレビ番組の格付けを試験するメモリー装置としている。
請求項２の発明は、その中、試験組合画面ごとにおまけに試験制御シグナルを一つ含むことによって、ディスプレー装置に試験組合画面を出力する前に、格付けチップが試験制御シグナルと遮ると設定された格付け組合画面を照合する、もしも試験組合画面は格付けチップが遮ると設定された格付け組合画面に属するならば、ディスプレー装置は遮るメッセージを出力することを特徴とする請求項１記載のテレビ番組の格付けを試験するメモリー装置としている。
請求項３の発明は、その中、試験組合画面は格付けチップが遮ると設定された格付け組合画面であれば、且つディスプレー装置にも当該試験組合画面を出ていると、格付けチップは正常に動作していないことを特徴とする請求項１記載のテレビ番組の格付けを試験するメモリー装置としている。
請求項４の発明は、その中、読み取り装置は順番通りに当メモリー装置の中からある試験組合画面を読み取り、且つ該試験組合画面をディスプレー装置に送ることによって、格付けチップは正常に動作しているか否かを試験することを特徴とする請求項１記載のテレビ番組の格付けを試験するメモリー装置としている。
請求項５の発明は、その中、読み取り装置が順番通りではなくて当メモリー装置の中からある試験組合画面を読み取り、且つ読み出された試験組合画面をディスプレー装置に送ることによって、格付けチップは正常に動作するか否かを試験することを特徴とする請求項１記載のテレビ番組の格付けを試験するメモリー装置としている。
請求項６の発明は、その中、メモリー装置は２２種類の試験組合画面が記憶されておき、且つ試験組合画面ごとに違う格付け組合に対応することを特徴とする請求項１記載のテレビ番組の格付けを試験するメモリー装置としている。
請求項７の発明は、その中、該メモリ装置は光メモリー装置であることを特徴とする請求項１記載のテレビ番組の格付けを試験するメモリー装置としている。
請求項８の発明は、その中、該読み取り装置は光メモリー読み取り装置であることを特徴とする請求項１記載のテレビ番組の格付けを試験するメモリー装置としている。
請求項９の発明は、複数試験組合画面を記憶している一つのメモリー装置と一つの読み取り装置を組み合わせ、その中、格付けチップはディスプレーに配置し、且つ該格つけチップは少なくとも一種類の格付け組合画面を遮ると設定される、読み取り装置はディスプレー装置と電気回路を結びつけ、又試験組合画面も少なくとも一種類以上の格付け組合に対応し、該方法は下記のステップが含まれている、
（Ａ）読み取り装置を通してメモリー装置の中からある試験組合画面を読み出す、
（Ｂ）ディスプレー装置は読み取り装置から読み出された当試験組合画面を受信する、又、
（Ｃ）格付けチップは読み出された試験組合画面が遮ると設定された格付け画面であるか否かを照合する、もし試験組合画面は格付けチップが遮る格付け組合画面に属していないならば、該ディスプレー装置に試験組合画面を出力することを特徴とする格付けチップの試験方法としている。
請求項１０の発明は、その中、試験組合画面ごとにおまけに試験制御シグナルを一つ含むことによって、格付けチップは試験制御シグナルが遮ると設定された格付け組合画面を照合する、もしも試験組合画面は格付けチップが遮ると設定された格付け組合画面に属しているならば、該ディスプレー装置は遮るメッセージを出力することを特徴とする請求項９記載の試験方法としている。
請求項１１の発明は、ステップ（Ｃ）の中で、もしも、試験組合画面は格付けチップが遮ると設定された格付け組合画面に属しているなら、且つディスプレー装置も試験組合画面を出力するなら、格付けチップは正常に動作していないということであることを特徴とする請求項９記載の試験方法としている。
請求項１２の発明は、ステップ（Ａ）の中で、読み取り装置は順番通りにメモリー装置の中からある試験組合画面を読み取り、そして読み出された試験組合画面を当ディスプレー装置に送ることによって、当格付けチップが正常に動作するか否かを試験することを特徴とする請求項９記載の試験方法としている。
請求項１３の発明は、ステップ（Ａ）の中で、読み取り装置が順番通りではなくて、メモリー装置の中からある試験組合画面を読み取り、そしてディスプレー装置に送ることによって、当格付けチップが正常に動作できるか否かを試験することを特徴とする請求項９記載の試験方法としている。
請求項１４の発明は、その中、メモリー装置は光メモリー装置であることを特徴とする請求項９記載の試験方法としている。
請求項１５の発明は、その中、読み取り装置は光メモリー読み取り装置であることを特徴とする請求項９記載の試験方法としている。
請求項１６の発明は、その中、メモリー装置には２２種類の試験組合画面を記憶しておき、且つ試験組合画面ごとに異なる格付け組合に対応することを特徴とする請求項９記載の試験方法としている。
【発明の効果】
【００１３】
本発明の目的はテレビ番組格付けを試験するメモリー装置並びに試験方法を提供することによって、経済的で格安の試験設備が提供できることである。
【発明を実施するための最良の形態】
【００１４】
本発明は複数試験組合画面が記憶しているメモリー装置を提供し、その中、試験組合画面は格付けチップ（Ｖチップ）の動作を試験するものである。試験するとき、読み取り装置を通してメモリー装置にある試験組合画面を読み出し、読み取り装置から読み出された試験組合画面をディスプレー装置に送る。そして、ディスプレー装置にある格付けチップは試験組合画面がブロックされる格付け組合画面に属しているか否かを照合することによって、格付けチップは正常に動作するかが試験できる。
【００１５】
本発明の良い実施例に関わる説明は図１が表示された骨組見取り図を参照すると、メモリー装置１１、読み出し装置１２、ディスプレー装置１３が含まれ、その中のディスプレー装置１３は格付けチップ１３１を搭載している。本実施例の中では、メモリー装置１１は光メモリー装置のビデオＣＤ（ＶＣＤ）或いはデジタルビデオディスク（ＤＶＤ）などであるが、それに限らない。いかなる光メモリーのできる装置は皆使える。読み取り装置１２は光メモリー読み取り装置のＶＣＤプレーヤー或いはＤＶＤプレーヤーまたは任意にほかの光メモリー装置に対応できる読み取り装置などである。もちろん、他の実施例の中では、非揮發性ストレージもメモリー装置１１になることができ、読み取り装置１２はメモリー装置１１に対応する電子設備となる。そのほか、本実施例の中では、ディスプレー装置１３はフラットパネルディスプレーの液晶テレビ或いはプラズマディスプレーパネルである。もちろん、他の実施例の中では、伝統の陰極線管テレビ或いは他の種類のテレビもディスプレー装置になることができる。
【００１６】
上述の読み取り装置１２はディスプレー装置１３と電気回路を結びつけることによって、読み取り装置１２は読み出された試験組合画面をディスプレー装置１３に送る。上述のディスプレー装置にある格付けチップは設定されて特定な出力する画面がブロックできる。アメリカ連邦通信委員会の規範によれば、テレビ番組の内容の格付け組合画面は２２種類があり、その格付け組合表示は下表を参照されたい：
【表１】
2006345476.tif 000003
【００１７】
上述のＴＶ-Ｙとは全児童対象の番組で、こうした番組は２~６歳の児童に向いている。ＴＶ-Ｙ７とは７歳以上の児童に向いている番組で、こうした番組の内容は若干の幻想や喜劇的な暴力がありかねない。このレベルでは、もしも暴力や戦争シーンが多めだとしたら、もっと詳しく格付け組合をＴＶ-Ｙ７- ＦＶに分けられる。ＴＶ-Ｇとは一般対象の番組で、こうした番組は暴力があるべきではない。それに乱暴な会話や性的な会話或いは写実的描写もあるべきではない。ＴＶ-ＰＧとは若い児童に不適当な番組で、こうした番組は若干の暴力画像、性的画像、下品な言葉遣い或いは猥褻事項を暗示させる会話などが含まれる可能がある。
【００１８】
ＴＶ-１４とは普通の親が１４歳以下の子供に見せたくない番組で、こうした番組は下記の各種状況：激しい暴力画面、強烈な性的画面、強烈に下品な言葉遣い、強烈に猥褻事項を暗示させる会話などが含まれる可能がある。ＴＶ-ＭＡとは成人向けの番組なので、１７歳以下には不適当で、こうした番組は下記の各種状況：グラフィック暴力画面・明瞭な性行為、極めて低俗な言葉遣いなどが含まれる可能がある。
【００１９】
そこで、放送業者が番組を放送するとき、番組の格付け情報をテレビ画面の垂直走査線２１番に搭載しなければならない。それを以ってディスプレー装置１３にある格付けチップ１３１は設定されたものに従い特定番組が遮られる。だから本発明が提供するメモリー装置１１は格付けチップ１３１が正常に動作できるかを試験するために、メモリー装置１１に２２種類の試験組合画面が記憶している。もちろん、他の実施例では、格付けチップ１３１を試験する時効をスピードアップするために、ただ一種の試験組合画面或いは数少ない種類の典型的な試験組合画面が記憶できる。
【００２０】
図２は本発明が提供するメモリー装置１１の製作骨組み見取り図で、エンコーダー２１、ＴＶ信号発生器２２、光ディスクドライブ２３及びディスプレー装置２４を包含し、その中のディスプレー装置２４に格付けチップ２１４が配置している。
【００２１】
上述のエンコーダー２１はＴＶ信号発生器２２と電気回路を結びつけ、ＴＶ信号発生器２２も光ディスクドライブ２３と電気回路を結びつけ、光ディスクドライブ２３はディスプレー装置２４と電気回路を結びつける。
【００２２】
上述のエンコーダー２１は複数の制御シグナルが発生でき（例えば、２２種類）、ＴＶ信号発生器２２はＴＶ信号が発生できる上に、エンコーダー２１が生み出した制御シグナルを受信し、当制御シグナルをＴＶ信号にキャリアーするとこによって、格付けチップ試験信号を含む試験組合画面を生み出し、それを光ディスクドライブ２３のところに送って書き込まれる。もちろん、光ディスクドライブ２３に光メモリーメディアが一つ含まれ、例えば：ＤＶＤベアチップによって、書き込むわけである。
【００２３】
上述のディスプレー装置２４は組合画面の発生を試験するもので、リアルタイムに光ディスクドライブ２３から新しく生み出した試験組合画面を受信し、格付けチップ２４１を通してリアルタイムに試験することによって、当試験組合画面を用いることが確保できる。もしもその試験組合画面が用いられるならば、光ディスクドライブ２３を通して書き込む。それを以って、複数Ｖチップパターンを含む制御シグナルの試験組合画面を一つのメモリー装置に結合して（例えば：光ディスク）試験設備を取り付けるスペースを節約し、簡易に格付けチップを試験し、中央制御信号がオフラインしている環境に用い、例えば：ＦＡＢ, ＬＡＢなどの中央制御信号が使えないところに用い、またそのメモリー装置を製造業者、下請負打件廠、検査、メンテナンスや市場営業の方に提供して便利に使う。
【００２４】
図３は本発明が提供されるメモリー装置１１を利用して試験するときの見取り図で、その説明は図１で表示された構成図と一緒にご参照ください。試験するときはあらかじめメモリー装置１１（例えば：ＤＶＤ光ディスク）を読み取り装置１２に入れる（ステップＳ３０５）。通常メモリー装置１１は自動再生書式に書き込まれるので、メモリー装置１１を読み取り装置１２に入れた後、ディスプレー装置１３は再生メニューが表示される（例えば：２２種類の試験組合画面が再生できる）。だからこのとき、直接に順番通りに試験組合画面を再生するか否かが選べられる（ステップＳ３１０）。
【００２５】
順番通りに試験組合画面を再生しなかったら、いくつかの典型的な試験組合画面が選べられることによって、ディスプレー装置１３にある格付けチップ１３１は正常に動作するかを試験する（ステップＳ３１５）。順番通りに試験組合画面を再生すると選択したら、読み取り装置１２はメモリー装置１１の第１トラックから試験組合画面を読み出す（ステップＳ３２０）。次に、読み取り装置１２は読み出された試験組合画面をディスプレー装置に送って格付けチップ１３１を試験する（ステップＳ３２５）。
【００２６】
試験組合画面はディスプレー装置１３に送られる前に、先に格付けチップ１３１を通して照合し、当試験組合画面は遮られると設定された画面（ステップＳ３３０）であるか否かを判断する。本実施例の中では、試験組合画面は複数の色が備える典型的な画面でもあり、また単一色の画面でもある。それに、組合画面を試験して再生される時間は３０秒から数分間に至ることである。当然、試験組合画面の再生時間は試験者の需要によって変えることもできる。
【００２７】
本実施例の中で、親あるいは試験者はオンスクリーン機能を通じて格付けチップが設定できる。子供が自分で格付けチップを設定することを防ぐために、あらかじめ暗証番号を一組入力する必要がある。また、この実施例の中で、格付けチップ１３１はＴＶ-１４-ＶとＴＶ-１４-Ｓ組合画面が遮られると設定される。当然他の実施例では、試験者も格付けチップ１３１を設定することでほかの画面が遮ぎられる。
【００２８】
従って、格付けチップ１３１はディスプレー装置１３１の受信した試験組合画面と照合し、また試験組合画面にある試験制御シグナルと照合することによって、当画面は遮ると設定される画面であるか否かを判断する。もしも、その画面が遮られる格付け組合画面に属しているならば（例えば：当試験組合画面はＴＶ-１４-Ｖ格付け組合画面である）、ディスプレー装置１３は当画面が遮られたというメッセージを出力する（ステップＳ３５０）。それに対して、その画面が遮られる格付け組合画面に属していないならば、ディスプレー装置１３は当試験組合画面を出力する（ステップＳ３４０）。
【００２９】
もちろん、試験者はＯＳＤの操作を通して事前に格付けチップ１３１の遮る格付け種類が分かる。もしも、格付けチップ１３１が特定な格付け組合画面を遮ると設定され、同時にディスプレー装置１３が受信した試験組合画面は特定な遮るべきである格付け組合画面に属しているなら、それにディスプレー装置１３も正常に出力するのなら、格付けチップ１３１が故障したと分かった。そのため、試験者は簡単に格付けチップ１３１が正常に動作できないと判明できる。
【００３０】
偶には、信頼さのある試験過程を証明するために、数多くの連続試験をする可能性もある。それで、試験組合画面を試験した後、もしも最初は順に試験組合画面の再生を選べば、読み取り装置１２は次の試験組合画面を続けて読み出す。その代わりに、もしも最初はメニューから試験組合画面を選んだとしたら、試験組合画面を試験した後に、試験者は続けて試験するか否かを決める（ステップＳ３４５）。続けて試験する場合なら、ステップＳ３１０に戻り続ける。でないと今回の試験をここまで終える。
【００３１】
上述の説明により、本発明はある複数試験組合画面を記憶しているメモリー装置を提供するものである。中の試験組合画面ごとに試験制御シグナルを含むことによって、読み取り装置はメモリー装置にある試験組合画面を読み出すときに、試験制御シグナルを含む試験組合画面をディスプレー装置までに送れ、そうすればディスプレー装置にあるＶチップは試験組合画面の試験制御シグナルによって、その試験組合画面は遮られる格付け組合画面に属しているか否かを判断する。属しているならば、試験組合画面を遮るし、それにディスプレー装置も画面が遮られたというメッセージが表示される。それに対し、試験組合画面は遮られる画面に属していないならば、ディスプレー装置は試験組合画面が現れる。というわけで、本発明は安くて経済的な試験設備で、あまりスペースを占めない設備を提供するものである。
【００３２】
上述の実施例は説明しやすいために挙げる例のみである。本発明の主張する権利範囲は特許申請の範囲に記載されるものやその均等物などを根拠となり、上述の実施例に限らない。
【図面の簡単な説明】
【００３３】
【図１】本発明における良い実施例の試験骨組見取り図。
【図２】本発明における良い実施例のメモリー装置の骨組製作見取り図。
【図３】本発明における良い実施例の動作試験フローチャート。
【符号の説明】
【００３４】
１１  メモリー装置              １２  読み出し装置
１３  ディスプレー装置          １３１、２４１  格付けチップ
２１  エンコーダー              ２２  ＴＶ信号発生器
２３  光ディスクドライブ        ２４  ディスプレー装置
【図１】
2006345476.tif 000004
【図２】
2006345476.tif 000005
【図３】
2006345476.tif 000006